(57)【特許請求の範囲】
【請求項１】
弁体に突設された弁軸の回転作動により弁の開閉動作を行う遮断弁の前記弁軸に閉弁方向の付勢力を付与する機械式の駆動手段と、前記駆動手段の付勢力に抗して前記遮断弁の開弁状態を維持するブレーキ手段と、前記ブレーキ手段に備えられたブレーキを解除して前記遮断弁を閉弁させるブレーキ解除手段とを備えた給水配管又は貯水槽に配置する機械式遮断弁に、地震の揺れを検出して前記遮断弁のブレーキ解除手段を作動させる別の箇所に配置した機械式感震器を機械式伝導具により連結した緊急遮断弁を有する装置であって、地震の発生により、機械式感震器が作動して、前記ブレーキ解除手段を作動させることで前記ブレーキが解除されて前記駆動手段により前記遮断弁を閉弁させ、通水を自動的に遮断する緊急遮断弁装置において、前記ブレーキ解除手段は、前記機械式感震器から延設された前記機械式伝導具の先端側における突出部の突出動作に連動して前記ブレーキ手段によるブレーキを解除し、且つ、手動により前記感震器をリセット動作することで前記機械式伝導具の突出部を退避させた状態として前記ブレーキ手段によるブレーキを復帰させることを特徴とする緊急遮断弁装置。
【請求項２】
前記遮断弁の駆動手段が、前記駆動軸とこの駆動軸を回転駆動させるゼンマイと前記駆動軸の回動を前記遮断弁の開閉動作に変換する変換機構を有して、前記ゼンマイが圧縮方向に捲かれた状態で前記遮断弁を閉弁方向に付勢するとともに、前記遮断弁が閉弁した状態で前記駆動軸の軸端または前記変換機構の一部に連結されたハンドル部材を手動で回すことにより、前記ゼンマイを捲き戻しながら前記遮断弁を開弁方向に動作させ、初期状態の開弁位置で前記ブレーキ手段により固定されることによりリセットが完了することを特徴とする請求項１に記載の緊急遮断弁装置。
【請求項３】
前記遮断弁が、機械式バタフライ弁または、機械式ボール弁であることを特徴とする請求項１または２に記載の緊急遮断弁装置。
【請求項４】
前記ハンドル部材は、装置本体に対し着脱可能なハンドルであることを特徴とする請求項２に記載した緊急遮断弁装置。
【請求項５】
前記ハンドルは、装置外部まで延設された前記駆動軸の一方の端部側に基端側を連結することにより装着されることを特徴とする請求項４に記載した緊急遮断弁装置。
【請求項６】
前記駆動軸にはウオームギヤが設けられており、前記遮断弁の弁体から前記駆動軸に対し直角方向に延設された弁軸の端部側に設けたウオームホイールギヤと噛合して前記遮断弁を動作させることを特徴とする請求項１，２，３，４または５に記載した緊急遮断弁装置。
【請求項７】
機械式感震装置１台に対して、複数台の緊急遮断弁装置を接続可能とすることを特徴とする請求項１，２，３，４，５または６に記載した緊急遮断弁装置。
【発明の詳細な説明】
【技術分野】
【０００１】
本発明は、緊急遮断弁装置に関し、殊に、地震発生時に給水通路の破損部分から漏水することを防止するために給水配管の途中に配設される緊急遮断弁装置に関する。
【背景技術】
【０００２】
マンション等の集合住宅に設けた貯水槽から各戸まで水を分配・供給する給水配管には、地震発生の際に給水通路を自動的に遮断して下流側の破損箇所から漏水することを防止するための緊急遮断弁装置が配設されているのが一般的である。
【０００３】
このような緊急遮断弁装置は、図３に示すように貯水槽１から延設された給水配管２の途中に配設されるものとして、遮断弁３０Ｂの弁体３１を所定の駆動手段で開閉可能に設けてなる緊急遮断弁装置３Ｂが周知であり、例えば特開２０００−３５６２７７号公報に記載されている図３や特開２００８−５７５６１号公報に記載されているように、別途配置した感震器４が所定レベル以上の地震を感知して作動することにより、機械式伝導具５０等のリンク手段を介し緊急遮断弁装置３Ｂの駆動手段を作動させて遮断弁３０Ｂを緊急的に遮断するようになっている。
【０００４】
ところで、給水通路の破損箇所が修復された場合には、遮断弁による遮断を解除して早々に給水を再開させる必要があるところ、緊急遮断弁装置の駆動手段はモータやソレノイド等の電動式であるのが一般的であり、地震の影響で停電した場合には通水の再開時にその開弁動作を行えないという問題がある。
【０００５】
一方、閉弁用の駆動手段として、弾性部材による弾性反発力を利用したり錘の重さを利用したりして電力の供給を不要としたものも知られているが、復旧時の開弁動作においてはモータ等の電動式駆動手段を使用する点で停電時の問題は同様である。
【０００６】
そこで、前述した従来の先行技術文献においては、停電時に使用するためのバックアップ用バッテリーを設けたり、通常時から外部電源を使用せずに内蔵したバッテリーを使用したりする方式が提案されており、停電状態であっても給水の再開を可能なものとしている。一方、遮断弁の開弁動作は行われても感震器のリセットは自動で行われないため、その作業に手間と時間を要することになる。
【０００７】
また、集合住宅では各戸への配管が損傷する場合も考えられるので経路毎に緊急遮断弁装置を配設することも想定することができ、このような場合には安価でメンテナンスの手間が少ないものが好適であるところ、前述したバッテリー内蔵式の装置は、バッテリー内蔵の分コスト高であり、且つ、メンテナンスの手間もかかりやすいという難点がある。
【先行技術文献】
【特許文献】
【０００８】
【特許文献１】特開２０００−３５６２７７号公報
【特許文献２】特開２００８−５７５６１号公報
【発明の概要】
【発明が解決しようとする課題】
【０００９】
本発明は、上記のような問題を解決しようとするものであり、緊急遮断弁装置について、停電時でも通水の再開が容易に行えることに加え、導入コストが低廉でメンテナンスの手間の少ないものとすることを課題とする。
【課題を解決するための手段】
【００１０】
そこで、本発明は、弁体に突設された弁軸の回転作動により弁の開閉動作を行う遮断弁の前記弁軸に閉弁方向の付勢力を付与する機械式の駆動手段と、前記駆動手段の付勢力に抗して前記遮断弁の開弁状態を維持するブレーキ手段と、前記ブレーキ手段に備えられたブレーキを解除して前記遮断弁を閉弁させるブレーキ解除手段とを備えた給水配管又は貯水槽に配置する機械式遮断弁に、地震の揺れを検出して前記遮断弁のブレーキ解除手段を作動させる別の箇所に配置した機械式感震器を機械式伝導具により連結した緊急遮断弁を有する装置であって、地震の発生により、機械式感震器が作動して、前記ブレーキ解除手段を作動させることで前記ブレーキが解除されて前記駆動手段により前記遮断弁を閉弁させ、通水を自動的に遮断する緊急遮断弁装置において、前記ブレーキ解除手段は、前記機械式感震器から延設された前記機械式伝導具の先端側における突出部の突出動作に連動して前記ブレーキ手段によるブレーキを解除し、且つ、手動により前記機械式感震器をリセット動作することで前記機械式伝導具の突出部を退避させた状態として前記ブレーキ手段によるブレーキを復帰させることを特徴とする。
【００１１】
また、前記遮断弁の駆動手段が、前記駆動軸とこの駆動軸を回転駆動させるゼンマイと前記駆動軸の回動を前記遮断弁の開閉動作に変換する変換機構を有して、前記ゼンマイが圧縮方向に捲かれた状態で前記遮断弁を閉弁方向に付勢するとともに、前記遮断弁が閉弁した状態で前記駆動軸の軸端または前記変換機構の一部に連結されたハンドル部材を手動で回すことにより、前記ゼンマイを捲き戻しながら前記遮断弁を開弁方向に動作させ、初期状態の開弁位置で前記ブレーキ手段により固定されることによりリセットが完了することが好ましい。
【００１２】
そして、前記遮断弁は、機械式バタフライ弁または、機械式ボール弁のような弁体の回転動作により開閉動作を行うタイプとすることが好ましい。
【００１３】
更に、前記ハンドル部材は、装置本体に対し着脱可能なハンドルである機械式緊急遮断弁装置を提供する。
【００１４】
また、前記ハンドルは、装置外部まで延設された前記駆動軸の一方の端部側に基端側を連結することにより装着される。
【００１５】
ブレーキ解除手段は、機械式の前記感震器から延設された機械式伝導具の先端側における突出部の突出動作に連動して前記ブレーキ手段によるブレーキを解除し、且つ、手動によるリセット動作で前記突出部を押し戻すことができる。
【００１６】
更にまた、前記駆動軸にはウオームギヤが設けられており、前記遮断弁の弁体から前記駆動軸に対し直角方向に延設された弁軸の端部側に設けたウオームホイールギヤと噛合して前記遮断弁を動作させることにより、大きなゼンマイではなくとも比較的大きな閉弁方向の駆動力を確保することができる。
【００１７】
加えて、二又に分岐した、または、複数の機械式伝導具を用いることにより機械式感震装置１台に対して、複数台の緊急遮断弁装置を接続することも可能である。
【００１８】
このように、緊急遮断弁装置で閉弁動作を行うための駆動手段にゼンマイを使用したことで、電動式の駆動手段と比べてコストを低廉に抑えられることに加え、通水再開時に手動で遮断弁を開弁させながらゼンマイを最初の状態に捲き戻す方式としたことにより、バッテリーを内蔵する場合と比べて導入コストが大幅に削減されるとともに、リセットの手間及びメンテナンスの手間を少なく抑えることができる。
【００１９】
また、この緊急遮断弁装置において、そのハンドル部材は装置本体に対し着脱可能なハンドルとすれば、これを通水再開時のみ装着して使用することで、通常時は遮断弁の無用な開閉動作を回避しやすいものとなる。この場合、そのハンドルは、装置の外部まで延設された駆動軸の一方の端部側に基端側を連結することにより装着されることを特徴としたものとすれば、手動にてゼンマイをダイレクトに捲き戻すことができる。
【００２０】
さらに、上述した緊急遮断弁装置において、そのブレーキ解除手段として、別の箇所に設置された機械式の感震器から延設された機械式伝導具先端側の突出部の突出動作に連動してブレーキ手段によるブレーキを解除し、且つ、手動によるリセット動作で機械式伝導具の突出部を押し戻すものとされていることを特徴としたものとすれば、全体としても電源手段を要さずに停電時における確実な作動を実現しやすいことに加え、手動でゼンマイを巻き戻す動作で機械式伝導具を介して感震器のリセットも行われるものとすればより操作が簡単である。
【発明の効果】
【００２１】
閉弁動作を行うための駆動手段にゼンマイを使用するとともに通水再開時に手動で遮断弁を開弁させながらゼンマイを捲き戻して初期状態にする方式とした本発明によると、停電時でも通水の再開が容易に行えることに加え、導入コストが低廉でリセット作業及びメンテナンスの手間の少ないものとすることができる。
【図面の簡単な説明】
【００２２】
【図１】本発明における緊急遮断弁装置についての実施の形態の斜視図である。
【図２】図１に示した実施の形態の本体部分の横断面図である。
【図３】従来例における緊急遮断弁装置の配設状態を示す配置図である。
【図４】図１に示した実施形態の感震器と緊急遮断弁装置の配置例である。
【図５】感震器１台について２台の緊急遮断弁装置が接続されている配置例である。
【発明を実施するための形態】
【００２３】
以下に、図面を参照しながら本発明を実施するための形態を説明する。
【００２４】
図１および図２は、本実施の形態の緊急遮断弁装置３Ａの全体斜視図および本体部分の横断面図を示している。この緊急遮断弁装置３Ａは、図２に示した従来の緊急遮断弁装置３Ｂと同様に、貯水槽１から続く給水配管２の途中に配置した遮断弁３０Ａを地震発生時に緊急的に閉弁してその下流側で漏水を生じないようにするための装置であり、これとは別位置に配置した機械式の感震器４が所定レベル以上の地震を感知することで、これから延設されたレリーズからなる機械式伝導具５０先端側の突出部５０ａがブレーキ解除部３６３を作動させてブレーキ部３６のブレーキを解除し、後述する駆動部３５が作動して遮断弁３０Ａを緊急的に閉弁させるようになっている。
【００２５】
加えて、図４は、感震器４と緊急遮断弁装置３Ａと機械式伝導具５０との配置の例を示したものであり、特に感震器４を緊急遮断弁３Ａと別体として、例えば、貯水槽１の近くの設置床面に配置したものである。本実施の形態によると、感震器４と貯水槽１の設置床に独立して配置したことにより、地震の揺れをポンプの振動等の他の影響を受けることなしに感知することができる利点を有している。また、図５には、別の実施形態として、貯水槽が複数設置されている状況、または、貯水槽に複数の取水管が配接されている場合に、１台の感震器で複数台の緊急遮断弁を操作可能とする、複数に分岐した機械式伝導具を設けた緊急遮断弁装置の配置の関係図を示した。本実施例においては、２台の緊急遮断弁装置に対して１台の感震器が二又の機械式伝導具で接続されているが、緊急遮断弁装置の台数及び、機械式伝導具の構成は、これに限られるものではない。これらの場合には、１台の感震器４で複数の緊急遮断弁装置を作動可能であり、経済的に有利であるばかりか、複数の感震器を使用する場合（図示せず）のように作動する揺れによるバラつきがないので、地震時の対応や保守管理が容易であり、特に１つの貯水槽に複数の配管がある場合には有効である。
【００２６】
本実施例においては、感震器４と緊急遮断弁３Ａとは、機械式伝導具５０により緊急遮断弁３Ａの内部で連結されている構造となっているが、前記感震器と前記緊急遮断弁との連結構造はこれに限られるものではなく、地震の発生で前記感震器が作動した場合に、ブレーキ解除部３６３を作動させてブレーキ部３６のブレーキを解除し、駆動部３５が作動して遮断弁３０Ａを緊急的に閉弁可能とする機械構造を有するものであればよい。
【００２７】
その遮断弁３０Ａの弁体３１を閉弁方向に動作させる駆動部３５は、横方向に渡した駆動軸３５１と、その一端側で周方向渦巻き状に捲回して設けたゼンマイ３５０と、駆動軸３５１のほぼ中央位置に配置されたウオームギヤ３５２と、弁体３１から駆動軸３５１に対し直角方向に延設した弁軸３２の端部側に傘状に設けられてウオームギヤ３５２に噛合しているウオームホイールギヤ３５３とからなり、ゼンマイ３５０が圧縮方向に捲かれた状態で遮断弁３０Ａを閉弁方向に付勢しており、その遮断弁３０Ａの閉弁動作に電力の供給を要しないものとなっている。
【００２８】
駆動部３５に付設したブレーキ部３６は、駆動軸３５１に設けた歯車３５４に一部を噛合している複数の歯車からなるギヤ３６０、ギヤ３６０にホイール軸３６１ａを介し接続して慣性力を発揮するフライホイール３６１、ホイール軸３６１ａの回動をブレーキライニング、ブレーキアーマチェア等の摩擦力で停止させるブレーキ機構３６２を有してなり、通常の通水時にそのブレーキ作用でゼンマイ３５０の付勢力に抗して駆動軸３５１の回動を停止させて遮断弁３０Ａの開弁状態を維持している。
【００２９】
そして、感震器４が所定レベル以上の地震を検知すると、例えば内部に配置した硬球が動くことを契機に掛止爪が外れてバネが作動すること等により機械式伝導具５０の管体を挿通したワイヤを突出させる等して、機械式伝導具５０先端側の突出部５０ａがブレーキ機構３６２に付設したブレーキ解除部３６３の解除レバー３６３ａを押すことにより、ブレーキ機構３６２によるブレーキを解除させてゼンマイ３５０による付勢力が開放され、駆動部３５が遮断弁３０Ａを閉弁方向に作動させる。
【００３０】
尚、このようにウオームギヤ３５２が弁軸３２端部側のウオームホイールギヤ３５３に噛合して駆動軸３５１の回動を弁体３１の開閉動作に変換する構成としたことにより、駆動軸３５１の一端に設けたゼンマイ３５０が比較的小さく低出力のものであっても、弁軸３２において比較的大きなトルクを発生させることができるため、遮断弁３０Ａの閉弁動作をスムースに行いやすいものとなっている。
【００３１】
一方、駆動軸３５１の他端側は先端部３５１ａが本体外部に露出しており、この先端部３５１ａは外周面の一部が軸線方向に切り欠かれた形状とされ、駆動軸３５１の軸線方向に対しアームの向きを直角にしたクランク形のハンドル３８を、その基端側の係合孔３８ａに先端部３５１ａを嵌挿して装着することにより、駆動軸３５１に連結される。
【００３２】
したがって、地震で遮断弁３０Ａを閉弁した後の通水再開時に、最初に感震器４のリセット釦を操作してリセット機構（図示せず）を作動させて機械式伝導具５０の管体を挿通したワイヤを引き戻すことにより機械式伝導具５０先端側の突出部５０ａをブレーキ解除部３６３の解除レバー３６３ａから退避させた状態として、ブレーキ機構３６２によるブレーキを復帰させた状態で、ハンドル３８を駆動軸３５１に装着して手動で回すことで、これを開弁方向に回しながらゼンマイ３５０を巻き戻すことができ、電源手段を要さずにしかもコストの低廉な簡易な構成で初期状態にリセットが可能である。
【００３３】
また、このハンドル３８は、駆動軸３５１に対し着脱自在とされていることから、不使用時にこれを外しておくことで遮断弁３０が無用に動作してしまう事態を回避することができる。
【００３４】
さらに、前記リセット操作では始めに感震器４をリセット操作して機械式伝導具５０の先端側の突出部５０ａをブレーキ解除部３６３の解除レバー３６３ａから退避させた状態として、ブレーキ機構３６２によるブレーキを復帰させた状態で、ハンドル３８を駆動軸３５１に装着して手動で回す場合を示したが、例えば感震器４のリセット機構を機械式伝導具に押し戻すことにより自動的にリセット可能な機構とすることにすれば（図示せず）、前述した通水再開時のハンドル操作により、ブレーキ解除部３６３の解除レバー３６３ａが機械式伝導具５０先端側で突出している突出部５０ａを押し戻すことにより機械式の感震器４を通常時の状態にリセットすることもできる。
【００３５】
このように、地震により緊急的に通水を遮断した後で通水を再開させる場合において、極めて簡易な手順で遮断弁３０Ａを開弁位置に戻しながらゼンマイ３５０を巻き戻してリセットすることができ、斯かる緊急遮断弁装置３Ａが集合住宅の各戸毎に複数配設されていても、比較的短時間で復旧作業を完了することができる。
【００３６】
さらに、通水を再開させる動力源にバッテリーを用いない手動式であることから、装置単体として比較的安価であり、設置数が多くても導入コストを比較的低廉に抑えることができ、且つ、バッテリーを内蔵した装置におけるような定期的な電圧チェック等の作業を要さないことから、メンテナンスの手間も比較的少ないものとなる。
【００３７】
以上、述べたように、緊急遮断弁装置について、本発明により停電時でも通水の再開が容易に行えることに加え、導入コストが低廉でリセット作業及びメンテナンスの手間が少なくすることができる。
【００３８】
尚、本実施の形態ではハンドル３８としてクランク形としたので操作しやすいが、特に限定されるものでなく平形のものであってもよく（図示せず）、この場合には少ないスペースで保管することができるという利点がある。
【００３９】
また、本実施の形態では機械式バタフライ弁を用いて実施しているが、バタフライ弁以外でも弁体の回転作動により開閉動作を行う機械式の遮断弁構造を有しているボール弁を用いても実施することが出来る。
【符号の説明】
【００４０】
２  給水配管、３Ａ  緊急遮断弁装置、４  感震器、３０Ａ  遮断弁、３１  弁体、３５  駆動部、３６  ブレーキ部、３８  ハンドル、５０  機械式伝導具、５０ａ  突出部、３５０  ゼンマイ、３５１  駆動軸、３５２  ウオームギヤ、３５３  ウオームホイールギヤ、３６３  ブレーキ解除部、３６３ａ  解除レバー
【図１】
0005782370.tif 000002
【図２】
0005782370.tif 000003
【図３】
0005782370.tif 000004
【図４】
0005782370.tif 000005
【図５】
0005782370.tif 000006